(57)【要約】【課題】外部装置との通信接続の利便性を向上させることが可能な情報処理装置、情報処理方法、およびプログラムを提供する。【解決手段】無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部を備える、情報処理装置。【選択図】図１
2017104205.tif 000002
【特許請求の範囲】
【請求項１】
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部を備える、情報処理装置。
【請求項２】
前記制御部は、検出した前記外部装置の識別子に基づいて当該外部装置が認証済みの外部装置であるか否かの判断を行い、認証済みの場合に前記電源ＯＮ要求データを当該外部装置に送信するよう制御する、請求項１に記載の情報処理装置。
【請求項３】
前記外部装置の識別子は、前記外部装置のデバイスアドレスである、請求項２に記載の情報処理装置。
【請求項４】
前記制御部は、前記情報処理装置に対する電源ＯＮ操作に応じて、前記外部装置の検出処理を開始する、請求項１に記載の情報処理装置。
【請求項５】
前記制御部は、電源がＯＮ状態となった前記外部装置と、前記無線通信方式と異なる他の無線通信方式による通信の確立処理を行う、請求項１に記載の情報処理装置。
【請求項６】
前記制御部は、前記外部装置が前記他の無線通信方式による無線通信を行わず、前記無線通信方式により所定の間隔で前記外部装置の識別子を送信する状態である場合に送信された前記外部装置の識別子に基づいて、前記外部装置の検出処理を行う、請求項５に記載の情報処理装置。
【請求項７】
前記一定時間（Ｔａ）は、下記式１を満たす、請求項６に記載の情報処理装置。
Ｔａ＜Ｔｂ＋Ｔｃ＋Ｔｄ  （式１）
（上記式１において、Ｔｂは、前記情報処理装置に対する電源ＯＮ操作から前記他の無線通信を介した前記情報処理装置と前記外部装置の間の所定の処理の開始までの時間であって、
Ｔｃは、前記外部装置に対する電源ＯＦＦ操作から前記無線通信方式により所定の間隔で前記外部装置の識別子の送信を開始するまでの時間であって、
Ｔｄは、所定の時間である。）
【請求項８】
前記Ｔｄは、０秒以上７５秒以下である、請求項７に記載の情報処理装置。
【請求項９】
前記制御部は、前記外部装置の無線通信接続モード情報に基づいて当該外部装置がマルチモード設定であるか否かの判断を行い、マルチモード設定の場合、所定数の前記外部装置と前記他の無線通信方式による通信を確立し、維持するよう制御する、請求項５に記載の情報処理装置。
【請求項１０】
前記無線通信方式は、Ｂｌｕｅｔｏｏｔｈ（登録商標）であって、
前記無線通信方式と異なる他の無線通信方式は、Ｗｉ−Ｆｉ（登録商標）である、請求項５に記載の情報処理装置。
【請求項１１】
前記制御部は、検出した前記外部装置の装置情報に基づいて、当該外部装置が装置側操作によって電源ＯＦＦされたことを示すフラグが有効の場合、前記電源ＯＮ要求データを送信しないよう制御する、請求項１に記載の情報処理装置。
【請求項１２】
前記外部装置は、撮像装置であって、
前記情報処理装置は、前記撮像装置の操作を行うリモートコントローラとして機能する、請求項１に記載の情報処理装置。
【請求項１３】
前記情報処理装置は、前記撮像装置から受信した撮像画像をリアルタイムで表示する表示部をさらに備える、請求項１２に記載の情報処理装置。
【請求項１４】
プロセッサが、
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御することを含む、情報処理方法。
【請求項１５】
コンピュータを、
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部として機能させるための、プログラム。
【発明の詳細な説明】
【技術分野】
【０００１】
本開示は、情報処理装置、情報処理方法、およびプログラムに関する。
【背景技術】
【０００２】
近年、デジタルカメラ等の撮像装置に通信技術を適用した製品が一般に流通するようになっている。このような撮像装置は、外部の情報処理装置等から通信を介して動作が制御され得る。【０００３】
例えば、特許文献１には、リモートコンローラを用いて複数の撮像装置の動作を制御し、各々の撮像装置から得られる画像をリモートコントローラが有するディスプレイに表示する技術が提案されている。また、特許文献１に記載のリモートコントローラは、ユーザが操作を行うことなく画像を切り替えることが可能である。
【先行技術文献】
【特許文献】
【０００４】
【特許文献１】特開２０１５−１２７９２０号公報
【発明の概要】
【発明が解決しようとする課題】
【０００５】
このようなリモートコンローラと撮像装置を接続するための操作は、ユーザへの負担が少なく、また、接続制御の利便性が求められるが、上記特許文献１ではリモートコンローラと撮像装置の通信接続に関して何ら言及されていない。【０００６】
そこで、本開示では、外部装置との通信接続の利便性を向上させることが可能な情報処理装置、情報処理方法、およびプログラムを提案する。
【課題を解決するための手段】
【０００７】
本開示によれば、無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部を備える、情報処理装置を提案する。【０００８】
本開示によれば、プロセッサが、無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御することを含む、情報処理方法を提案する。【０００９】
本開示によれば、コンピュータを、無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部として機能させるためのプログラムを提案する。
【発明の効果】
【００１０】
以上説明したように本開示によれば、外部装置との通信接続の利便性を向上させることが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態による情報処理装置の概要について説明する図である。
【図２】本実施形態に係る情報処理装置の構成の一例を示すブロック図である。
【図３】本実施形態に係る撮像装置の構成の一例を示すブロック図である。
【図４】本実施形態によるマルチ接続時の一括電源ＯＮ／ＯＦＦ操作制御について説明する図である。
【図５】本実施形態によるマルチ接続時の一括電源ＯＮ／ＲＥＣ操作制御について説明する図である。
【図６】マルチ接続した複数の撮像装置のＲＥＣ中に情報処理装置側で電源ＯＦＦ操作を行った場合について説明する図である。
【図７】マルチ接続した複数の撮像装置のＲＥＣ停止および電源ＯＦＦ操作について説明する図である。
【図８】比較例によるマルチ接続時の撮像装置側電源ＯＦＦ操作について説明する図である。
【図９】本実施形態による情報処理装置および撮像装置の通信接続制御における状態遷移を示す図である。
【図１０】本実施形態による情報処理装置および撮像装置の通信接続制御における状態遷移を示す図である。
【図１１】本実施形態による情報処理装置および撮像装置の動作処理を示すシーケンス図である。
【図１２】本実施形態の応用例による動作処理を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による情報処理システムの概要
２．構成
２−１．情報処理装置１０の構成
２−２．撮像装置２０の構成
３．動作制御例
３−１．マルチ接続：一括電源ＯＮ／ＯＦＦ操作
３−２．マルチ接続：一括電源ＯＮ／ＲＥＣ操作
３−３．マルチ接続：ＲＥＣ中の情報処理装置１０側電源ＯＦＦ操作
３−４．マルチ接続：ＲＥＣ停止および電源ＯＦＦ操作
３−５．マルチ接続：通信接続中の撮像装置２０側電源ＯＦＦ操作
４．まとめ
【００１５】
＜＜１．本開示の一実施形態による情報処理装置の概要＞＞
まず、本実施形態による情報処理装置の概要について図１を参照して説明する。図１に示す情報処理装置１０は、撮像装置２０と通信接続し、撮像装置２０の動作を制御するリモートコントローラとして機能する。また、情報処理装置１０は、撮像装置２０から得られるスルー画像をリアルタイムで表示部１５に表示し、所謂ライブビューを実現する。
【００１６】
情報処理装置１０と撮像装置２０は、異なる複数の通信方式によって通信を行う機能を有する。例えば情報処理装置１０は、第１の通信方式による通信と、第１の通信方式とは異なる第２の通信方式による通信とを制御することが可能である。具体的には、例えば図１に示すように、第２の通信方式による通信としては、ＩＥＥＥ８０２．１１規格による通信（以下、「Ｗｉ−Ｆｉ」（登録商標）と示す。）が挙げられ、第1の通信方式による通信としては、ＩＥＥＥ８０２．１５規格による通信（例えば「Ｂｌｕｅｔｏｏｔｈ」（登録商標）ともよばれる。以下、「ＢＴ」と示す。）が挙げられる。ＢＴを用いることで、より低電力での通信が可能となる。また、情報処理装置１０および撮像装置２０は、ＢＴとして「Ｂｌｕｅｔｏｏｔｈ  ｌｏｗ  ｅｎｅｒｇｙ」（以下、「ＢＴＬＥ」と示す）を用いてもよい。
【００１７】
Ｗｉ−Ｆｉの利点としては、帯域幅が広いためＢＴより大量のデータ通信が可能である点、および規格によっては、５ＧＨｚの帯域を通信に使えるため２．４ＧＨｚ帯が混雑しているような国・地域では混信に強い点が挙げられる。
【００１８】
また、ＢＴＬＥの利点として、Ｗｉ−Ｆｉより省電力である点、および通信周波数をホッピングしながら通信が行われるため電波の妨害に強い点が挙げられる。
【００１９】
なお、本実施形態に係る異なる複数の通信方式は、図１に示すようなＷｉ−ＦｉおよびＢＴの２つの通信方式に限られない。例えば、本実施形態に係る異なる複数の通信方式としては、Ｗｉ−Ｆｉ、ＢＴ、ＮＦＣ（Near  Field  Communication）、赤外線通信などの光無線通信、音を利用した音声通信、ＬＴＥ（Long  Term  Evolution）などの任意の方式の無線通信、ＬＡＮ（Local  Area  Network）による通信などの任意の方式の有線通信のうちの２以上が挙げられる。
【００２０】
また、本実施形態では、情報処理装置１０における操作によって撮像装置２０を動作させる、すなわち、情報処理装置１０が撮像装置２０のリモートコントローラとしての役目を果たす場合を想定する。情報処理装置１０は、制御情報を撮像装置２０に送信して撮像装置２０の動作を制御する。本実施形態に係る制御情報には、例えば、撮像命令、スルー画像（撮像装置２０の撮像部で撮影中の画像であり、いわゆるライブビュー画像）を情報処理装置１０に送信させる命令、撮像装置２０の設定を示すデータを情報処理装置１０に送信させる命令、撮像装置２０の設定を変更させる命令等のうち、１または２以上が含まれ得る。
【００２１】
また、情報処理装置１０は、例えば図１に示すように、バンド部分と本体部分とから構成される腕輪型ウェアラブル端末であってもよい。これにより、ユーザは、例えば利き手と反対側の腕に情報処理装置１０を装着し、利き手で本体のボタンやスイッチを操作したり、本体に設けられた表示部１５で、撮像装置２０から得られたスルー画像をリアルタイムで確認したりすることができる（ライブビュー）。なお情報処理装置１０は図１に示す腕輪型ウェアラブル端末に限定されず、他のウェアラブル端末（メガネ型ウェアラブル端末（アイウェア）、ＨＭＤ（Head Mounted Display）等）や、スマートフォン、携帯電話端末、またはタブレット端末等であってもよい。
【００２２】
一方、撮像装置２０は、情報処理装置１０における操作により動作制御可能であって、その取り付け個所の適用範囲が広げられる。例えば、本実施形態による撮像装置２０を、スポーツ（例えば、自転車、ランニング、スノーボード、スキー、ドライブ、サーフィン、ダイビングなど）を行っているときにヘルメットや道具に取り付けてスポーツ中に見える臨場感ある景色をハンズフリーで撮影することができるよう、小型化、軽量化、および強固化（例えば、防水、防塵、耐衝撃、耐低温など）された撮像装置とすることが可能である。スポーツに適用可能な撮像装置２０は、小型化および軽量化により操作デバイスや表示デバイスが簡素化または排除されているため、撮像装置２０の撮像制御や設定変更などの撮像装置２０に対する操作は、リモートコントローラとして機能する情報処理装置１０などの外部装置により行われることが想定される。また、撮像装置２０のハウジングは、それ自体、または図示していない外部アタッチメントを用いることによって、人間や、乗り物などの移動体、または情報処理端末などの他の物体に固定することが可能なように構成されていてもよい。また、撮像装置２０は、例えば、ユーザの身体に装着して用いることが可能なウェアラブルカメラとして構成されていてもよい。
【００２３】
撮像装置２０は、取り付け位置によってはユーザによるボタン操作やスイッチ操作が行い難い場合もあり、撮像装置２０の電源ＯＮ制御や情報処理装置１０との通信接続が自動的に行われることが望ましい。そこで、本実施形態では、情報処理装置１０と撮像装置２０の通信接続の利便性を向上させることを可能とする。
【００２４】
以上、本実施形態による情報処理装置１０の概要について説明した。続いて、本実施形態による情報処理装置１０および撮像装置２０の構成について、図２および図３を参照して順次説明する。
【００２５】
＜＜２．構成＞＞
＜２−１．情報処理装置１０の構成＞
図２は、本実施形態に係る情報処理装置１０の構成の一例を示すブロック図である。図２に示すように、本実施形態による情報処理装置１０は、制御部１１、第１通信部１２、第２通信部１３、操作部１４、表示部１５、および記憶部１６を有する。
【００２６】
制御部１１は、演算処理装置および制御装置として機能し、各種プログラムに従って情報処理装置１０内の動作全般を制御する。制御部１１は、例えばＣＰＵ（Central  Processing  Unit）、マイクロプロセッサ等の電子回路によって実現される。また、制御部１１は、使用するプログラムや演算パラメータ等を記憶するＲＯＭ（Read  Only  Memory）、および適宜変化するパラメータ等を一時記憶するＲＡＭ（Random  Access  Memory）を含んでいてもよい。
【００２７】
また、本実施形態による制御部１１は、情報処理装置１０の電源ＯＮ操作に応じて、第１通信部１２により周辺に存在する外部装置（ここでは、一例として撮像装置２０）を検出し、検出した外部装置に対して電源ＯＮ要求データを送信するよう制御することで、自動的に外部装置の電源をＯＮにすることができる。この際、制御部１１は、外部装置が認証済みであるか否かの判断を行ってもよい。認証済みとは、例えば情報処理装置１０とペアリング済みであるか否かを確認する方法が挙げられる。具体的には、制御部１１は、情報処理装置１０と予めペアリング済みの外部装置であるか否かを判断した上で、ペアリング済みの場合に情報処理装置１０から外部装置へ電源ＯＮ要求データを送信するようにしてもよい。ここで例として制御部１１が情報処理装置１０とペアリング済みの外部装置であるか否かを判断したが、判断基準としてはペアリングに限られず接続履歴に機器の識別子があるなど所定の方法により認証済みの外部装置であるか否かを判断してもよい。
【００２８】
第１通信部１２は、撮像装置２０と第１の通信方式により通信する機能を有する。本実施形態による第１通信部１２は、一例としてＢＴ通信のポートおよび送受信回路（無線通信）を含む。例えば第１通信部１２は、電源ＯＮ要求データを、対象の撮像装置２０へ送信する。
【００２９】
第２通信部１３は、第１の通信方式と異なる第２の通信方式により撮像装置２０と通信する機能を有する。本実施形態による第２通信部１３は、一例としてＷｉ−Ｆｉ通信のポートおよび送受信回路（無線通信）を含む。例えば第２通信部１３は、通信接続が確立された撮像装置２０から継続的にスルー画像を受信したり、録画ＯＮ／ＯＦＦ等の各種制御要求データを送信したりする。
【００３０】
操作部１４は、ユーザによる操作入力を検出し、制御部１１に出力する。操作部１４としては、例えば電源ＯＮ／ＯＦＦボタン、録画開始／停止ボタン、スイッチ、方向キー、ジョグダイヤルなどの回転型セレクター等が挙げられる。
【００３１】
表示部１５は、制御部１１の制御に従って、操作画面や、撮像装置２０で得られ、送信されたスルー画像の表示を行う。表示部１５としては、例えば液晶ディスプレイや有機ＥＬディスプレイ等が挙げられる。
【００３２】
記憶部１６は、フラッシュメモリなどにより構成され、制御部１１が各機能を実行するためのプログラムやパラメータを格納する。
【００３３】
以上、本実施形態による情報処理装置１０の構成について説明した。なお図２に示す構成は一例であって、本実施形態による情報処理装置１０の構成はこれに限定されない。
【００３４】
＜２−２．撮像装置２０の構成＞
次に、本実施形態による撮像装置２０の構成について図３を参照して説明する。図３は、本実施形態に係る撮像装置２０の構成の一例を示すブロック図である。
【００３５】
図３に示すように、本実施形態による撮像装置２０は、制御部２１、第１通信部２２、第２通信部２３、操作部２４、表示部２５、撮像部２７、および記憶部２６を有する。
【００３６】
制御部２１は、演算処理装置および制御装置として機能し、各種プログラムに従って撮像装置２０内の動作全般を制御する。制御部２１は、例えばＣＰＵ、マイクロプロセッサ等の電子回路によって実現される。また、制御部２１は、使用するプログラムや演算パラメータ等を記憶するＲＯＭ、および適宜変化するパラメータ等を一時記憶するＲＡＭを含んでいてもよい。
【００３７】
また、本実施形態による制御部２１は、第１通信部２２により、情報処理装置１０から電源ＯＮ要求データを受信した場合、撮像装置２０の電源をＯＮにするよう制御する。ここで、撮像装置２０の電源状態は、少なくとも以下の３種類が想定される。
・不活性状態：電源が切れている状態であって、少なくとも撮像部２７による画像の撮像処理や第１通信部２２および第２通信部２３による通信処理が行われない状態である。但し時計回路など一部の必要な回路は給電がされていてもよい。
・スタンバイ状態：撮像部２７による画像の撮像処理やＷｉ−Ｆｉ（第２通信部２３）による通信処理等少なくとも一部の機能は使えないが、システムの一部は給電されておりＢＴ（第１通信部２２）によるアドバタイジングパケットの送信、電源ＯＮ要求データの受信等は可能な状態である。
・電源ＯＮ状態：撮像部２７やＷｉ−Ｆｉによるスルー画像の送信等、スタンバイ状態より多くの機能が使える状態である。また、ＢＴおよびＷｉ−Ｆｉの両方が使える状態である。
【００３８】
第１通信部２２は、情報処理装置１０と第１の通信方式により通信する機能を有する。本実施形態による第１通信部２２は、一例としてＢＴ通信のポートおよび送受信回路（無線通信）を含む。例えば第１通信部２２は、スタンバイ状態において、定期的にアドバタイジングパケットを周辺に発信する。ここでアドバタイジングパケットは撮像装置２０のスタンバイ状態において周囲の危機に撮像装置２０の存在を知らせるビーコン信号である。アドバタイジングパケットは例えば撮像装置２０のデバイス識別子、名前、機能、サービスの情報などを含む。
【００３９】
第２通信部２３は、第１の通信方式と異なる第２の通信方式により情報処理装置１０と通信する機能を有する。本実施形態による第２通信部２３は、一例としてＷｉ−Ｆｉ通信のポートおよび送受信回路（無線通信）を含む。例えば第２通信部２３は、電源ＯＮ状態において、継続的に撮像部２７により取得した画像をスルー画像として、通信接続が確立された情報処理装置１０へ送信する。
【００４０】
操作部２４は、ユーザによる操作入力を検出し、制御部２１に出力する。操作部２４としては、例えば電源ＯＮ／ＯＦＦボタン、録画開始／停止ボタンや、スイッチ等が挙げられる。
【００４１】
表示部２５は、撮像装置２０の電源状態、通信状態、バッテリー残量等といった状態情報を示す画面等を表示する。表示部２５としては、例えば液晶ディスプレイや有機ＥＬディスプレイ等が挙げられる。
【００４２】
記憶部２６は、フラッシュメモリなどにより構成され、制御部２１が各機能を実行するためのプログラムやパラメータを格納する。
【００４３】
撮像部２７は、撮像により画像（動画像または静止画像）を生成する機能を有する。撮像部２７は、例えば、レンズ／撮像素子と信号処理回路とを含んで構成される。レンズ／撮像素子は、例えば、光学系のレンズと、ＣＭＯＳ（Complementary Metal Oxide
Semiconductor）などの撮像素子を複数用いたイメージセンサとで構成される。信号処理回路は、例えば、ＡＧＣ回路やＡＤＣを備え、撮像素子により生成されたアナログ信号をデジタル信号（画像データ）に変換する。また、信号処理回路は、例えばＲＡＷ現像に係る各種処理を行う。さらに、信号処理回路は、例えば、White  Balance補正処理や、色調補正処理、ガンマ補正処理、ＹＣｂＣｒ変換処理、エッジ強調処理など各種信号処理を行ってもよい。
【００４４】
以上、本実施形態による撮像装置２０の構成について具体的に説明した。なお図３に示す構成は一例であって、本実施形態による撮像装置２０の構成はこれに限定されない。
【００４５】
＜＜３．動作制御例＞＞
続いて、本実施形態による情報処理装置１０による撮像装置２０の動作制御例について、図４〜図１２を参照して説明する。本実施形態による情報処理装置１０は、単数の撮像装置２０と通信接続を確立して単数の撮像装置２０の動作をリモートコントロールするシングル接続の他、複数の撮像装置２０と通信接続して複数の撮像装置２０の動作をリモートコントロールするマルチ接続が可能である。ここでは一例として複数の撮像装置２０とマルチ接続している際の動作制御例について説明する。
【００４６】
＜３−１．マルチ接続：一括電源ＯＮ／ＯＦＦ操作＞
図４は、本実施形態によるマルチ接続時の一括電源ＯＮ／ＯＦＦ操作制御について説明する図である。図４上段に示すように、情報処理装置１０は、ユーザにより電源ＯＮ操作（例えば電源ＯＮ／ＯＦＦボタンの押下）が行われると、情報処理装置１０の電源が入ると共に、ＢＴ通信により周辺に存在する撮像装置２０のスキャンを開始する。撮像装置２０のスキャンは、例えば撮像装置２０からＢＴ通信により送信されるアドバタイジングパケットを受信することで行う。撮像装置２０ａ〜２０ｆは、図４には「ＯＦＦ」と記載しているが、具体的にはスタンバイ状態であって、少なくともＢＴ通信によるアドバタイジングパケットの送信を行い、情報処理装置１０側で受信される。撮像装置２０ｇは圏外のため、撮像装置２０ｇからのアドバタイジングパケットは情報処理装置１０では受信されない。
【００４７】
次に、図４中段に示すように、情報処理装置１０は、検出順に所定の台数、例えば５台の撮像装置２０ａ〜２０ｅに対して電源ＯＮ要求データを送信し、起動させる。マルチ接続時に何台まで接続可能であるかは、予め情報処理装置１０側で設定されていてもよい。また、情報処理装置１０は、例えば撮像装置２０から受信したデータに基づいてマルチ接続可否を判断することも想定される。また、情報処理装置１０は、撮像装置２０から受信したデータに基づいて、情報処理装置１０とペアリング済みの端末であるか否かの判断を行い、ペアリング済みであればマルチ接続対象の端末としてカウントするようにしてもよい。
【００４８】
起動した撮像装置２０ａ〜２０ｅは、スルー画像を情報処理装置１０へ継続的に送信する。スルー画像は、情報処理装置１０の表示部１５に表示される。また、表示部１５には、接続中の撮像装置２０ａ〜２０ｅに各々対応するアイコン１５１を表示し、ユーザはアイコン１５１を選択することで、表示部１５に表示されるスルー画像を切り替えることができる。
【００４９】
このように、ユーザは情報処理装置１０の電源ＯＮ操作を行うだけで、自動的に周辺の情報処理装置１０とペアリング済み撮像装置２０とマルチ接続が行われ、さらに撮像装置２０の電源ＯＮ制御、カメラ起動制御、および情報処理装置１０の表示部１５で撮像装置２０から得られたスルー画像の表示が行われる。
【００５０】
次いで、図４下段に示すように、情報処理装置１０は、ユーザにより電源ＯＦＦ操作（例えば電源ＯＦＦ／ＯＦＦボタンの押下）が行われると、ＢＴ通信（より具体的には、例えばＢＴＬＥ通信）により複数の撮像装置２０ａ〜２０ｅに電源ＯＦＦ要求データを送信し、撮像装置２０ａ〜２０ｅの電源をＯＦＦ（上述したスタンバイ状態）に制御する。
【００５１】
このように、ユーザは情報処理装置１０の電源ＯＦＦ操作を行うだけで、自動的に接続中の複数の撮像装置２０ａ〜２０ｅの電源ＯＦＦ制御が行われる。
【００５２】
＜３−２．マルチ接続：一括電源ＯＮ／ＲＥＣ操作＞
図５は、本実施形態によるマルチ接続時の一括電源ＯＮ／ＲＥＣ操作制御について説明する図である。図５上段に示すように、情報処理装置１０は、ユーザにより電源ＯＮ操作が行われると、情報処理装置１０の電源が入ると共に、ＢＴ通信により周辺に存在する撮像装置２０のスキャンを開始する。
【００５３】
次に、図５中段に示すように、情報処理装置１０は、検出順に所定の台数、例えば５台の撮像装置２０ａ〜２０ｅに対して電源ＯＮ要求データを送信し、起動させる。起動した撮像装置２０ａ〜２０ｅは、スルー画像を情報処理装置１０へ継続的に送信する。スルー画像は、情報処理装置１０の表示部１５に表示される。
【００５４】
続いて、図５下段に示すように、情報処理装置１０は、通信接続を確立した複数の撮像装置２０ａ〜２０ｅに対して、録画開始要求データを送信する。撮像装置２０ａ〜２０ｅは、情報処理装置１０の制御に従って、録画を開始する。この際、例えば撮像装置２０に設けられたＲＥＣランプ２８ａ、２９ａが点灯する。また、情報処理装置１０の表示部１５には、スルー画像と共に、マルチ接続する複数の撮像装置２０ａ〜２０ｅに各々対応するアイコン１５１と、各撮像装置２０ａ〜２０ｅがＲＥＣ状態であることを示すアイコン１５２が表示される。
【００５５】
このように、ユーザが情報処理装置１０の電源ＯＮ操作を行うだけで、自動的に情報処理装置１０は周辺の情報処理装置１０とペアリング済み撮像装置２０とマルチ接続し、カメラを起動させ、さらに撮像装置２０における録画を開始させることができる。
【００５６】
＜３−３．マルチ接続：ＲＥＣ中の情報処理装置１０側電源ＯＦＦ操作＞
図６は、マルチ接続した複数の撮像装置２０のＲＥＣ中に情報処理装置１０側で電源ＯＦＦ操作を行った場合について説明する図である。本実施形態では、図６上段に示すように、情報処理装置１０と接続する複数の撮像装置２０ａ〜２０ｅがＲＥＣ中の場合に、情報処理装置１０側で電源ＯＦＦ操作が行われると、図６中段に示すように、情報処理装置１０の電源はＯＦＦ状態となるが、撮像装置２０ａ〜２０ｅのＲＥＣ動作は継続される。情報処理装置１０の電源ＯＦＦは、例えばＢＴＬＥにより撮像装置２０ａ〜２０ｅに通知されるようにしてもよいが、撮像装置２０ａ〜２０ｅのＲＥＣ動作は継続される。
【００５７】
次いで、図６下段に示すように、情報処理装置１０側で電源ＯＮ操作が行われ、情報処理装置１０の電源がＯＮ状態になると、再び撮像装置２０ａ〜２０ｅと通信接続し、撮像装置２０ａ〜２０ｅで得られたスルー画像の表示が行われる。撮像装置２０ａ〜２０ｅでは、ＲＥＣ動作が継続される。
【００５８】
＜３−４．マルチ接続：ＲＥＣ停止および電源ＯＦＦ操作＞
図７は、マルチ接続した複数の撮像装置２０のＲＥＣ停止および電源ＯＦＦ操作について説明する図である。図７上段に示すように、情報処理装置１０が電源ＯＮ状態であって、撮像装置２０ａ〜２０ｅと通信接続し、撮像装置２０ａ〜２０ｅではＲＥＣ動作が行われている場合に、図７中段に示すようにユーザが情報処理装置１０でＲＥＣ停止操作（ＲＥＣ停止ボタンの押下）を行うと、情報処理装置１０は録画停止要求データを撮像装置２０ａ〜２０ｅに送信し、ＲＥＣ停止制御を行う。
【００５９】
次いで、図７下段に示すように、ユーザが情報処理装置１０の電源ＯＦＦ操作（電源ＯＮ／ＯＦＦボタンの押下）を行うと、情報処理装置１０は、電源ＯＦＦ要求データを撮像装置２０ａ〜２０ｅに送信して撮像装置２０ａ〜２０ｅの電源ＯＦＦ制御を行うと共に、情報処理装置１０の電源をＯＦＦする。
【００６０】
＜３−５．マルチ接続：通信接続中の撮像装置２０側電源ＯＦＦ操作＞
続いて、マルチ接続中に少なくとも一つの撮像装置２０で電源ＯＦＦ操作が行われた場合の問題点と、本実施形態による動作制御について、図８〜図１２を参照して説明する。
【００６１】
（比較例）
図８は、マルチ接続時の比較例による撮像装置２００側電源ＯＦＦ操作について説明する図である。図８上段に示すように、比較例による情報処理装置１００は、複数の撮像装置２００ａ〜２００ｅと通信接続し、電源ＯＮ制御およびカメラの起動を行う。ここで、情報処理装置１００は、所定数（ユーザにより設定可能）、例えば５台までのカメラとマルチ接続可能な設定であるとする。この場合、情報処理装置１００は、情報処理装置１００における電源ＯＮ操作に応じて、周辺の撮像装置２００を検出し、検出順に５台まで通信接続を確立し、電源ＯＮ制御およびカメラの起動を行う。
【００６２】
次に、ユーザが例えば撮像装置２００ｅにおいて電源ＯＦＦ操作（電源スイッチ押下）を行い、撮像装置２００ｅの電源をＯＦＦした場合、情報処理装置１００と撮像装置２００ｅとの通信は切断される。
【００６３】
撮像装置２００ｅとの通信接続が切断されると、情報処理装置１００は、５台までマルチ接続可能な状態において１台分の空きが出たと解し、再度撮像装置２００の検出を行う。具体的には、例えば情報処理装置１００は、スタンバイ状態（電源ＯＮの指示待ち）であって、情報処理装置１００とペアリング済みの撮像装置２００ｆを発見すると、自動的に通信接続を行い、電源ＯＮ制御およびカメラの起動を行う。
【００６４】
このように、例えば電源ＯＦＦした撮像装置２００ｅが、スタンバイ状態（電源ＯＮの指示待ち状態）となるため、再度情報処理装置１００に検出され、電源ＯＮ制御されてしまう場合が想定される。また、ユーザが接続台数を減らしたい際に撮像装置２００ｅの電源をＯＦＦしても、自動的に他の撮像装置２００ｆが発見されて電源ＯＮ制御され、マルチ接続可能な最大数（ここでは、一例として５台）から接続台数を減らすことが出来ないという事態も生じてしまう。
【００６５】
そこで、本実施形態では、撮像装置の電源をＯＦＦした場合に、ユーザの意図と反して再度撮像装置が通信接続されてしまうことを防止し、情報処理装置と撮像装置との通信接続の利便性を向上させることを可能とする。以下、図９〜図１１を参照して具体的に説明する。
【００６６】
（本実施形態による状態遷移）
図９および図１０は、本実施形態による情報処理装置および撮像装置の通信接続制御における状態遷移を説明する図である。図９上段に示すように、情報処理装置１０に対してユーザが電源ＯＮ操作を行うと、情報処理装置１０はスキャンを開始し、周辺に存在する撮像装置２０の検出を行う。
【００６７】
次いで、情報処理装置１０は、図９中段に示すように、一定時間スキャン（すなわち、撮像装置２０の検出処理）を行い、マルチ接続可能な最大数（ここでは、一例として５台）まで、情報処理装置１０とペアリング済みの撮像装置２０ａ〜２０ｄを発見次第順に通信接続し、電源ＯＮ制御およびカメラ起動制御を行う。なお図９では、撮像装置２０ｅ、２０ｆはペアリング済みの外部装置ではなく、また、撮像装置２０ｇは圏外であるとする。このため、情報処理装置１０は、接続可能な最大数が５台であるものの、撮像装置２０ａ〜２０ｄの４台までしか接続しない。
【００６８】
そして、本実施形態による情報処理装置１０は、図９下段に示すように、電源ＯＮ操作に応じてスキャンを開始してから一定時間経過後に、スキャンを停止するよう制御する。ここで一定時間の基準となるスキャンの開始時点は、電源ＯＮ操作の信号が生成されたタイミングであっても良いし、無線通信部（例えば第１通信部２２）によるパケット受信開始のタイミングであってもよい。この際、接続している撮像装置２０の数がマルチ接続可能な最大数に満たさない場合であっても、情報処理装置１０は、最大数に満たさない状態のままスキャンを停止する。例えば最大５台接続可能な場合に、図９に示すように４台しか接続していない状態であっても、４台接続の状態でスキャンを停止する。これにより、例えば図１０上段に示すように、接続中の撮像装置２０ｄがユーザ操作により電源ＯＦＦされた場合でも、情報処理装置１０によるスキャンは行われずに停止したままのため、図１０下段に示すように、撮像装置２０ｄの電源状態はＯＦＦのまま継続され、また、他の撮像装置２０が新たに接続されることもなく、情報処理装置１０と接続する撮像装置２０は３台となる。
【００６９】
このように、本実施形態では、例えば撮像装置２０のスキャンを一定時間にすることで、ユーザの意図と反して再度撮像装置が通信接続されてしまうことを防止することができる。かかる本実施形態の動作処理について、図１１を参照して詳細に説明する。
【００７０】
（本実施形態による詳細な動作処理）
図１１は、本実施形態による情報処理装置１０および撮像装置２０の動作処理を示すシーケンス図である。図１１に示す例では、一例として複数の撮像装置２０ａ〜２０ｃを用いる。
【００７１】
図１１に示すように、まず、各撮像装置２０ａ〜２０ｃは、ＢＴ通信により各々アドバタイジングパケット（Advertising packet）の発信（beacon発信）を繰り返す（ステップＳ１０３ａ、Ｓ１０３ｂ、Ｓ１０３ｃ）。アドバタイジングパケットの発信は、例えば37.5msec間隔で行われ得る。
【００７２】
次に、情報処理装置１０は、ユーザにより電源ＯＮ操作（電源スイッチの押下）が行われて電源が入ると（ステップＳ１０６）、周辺に存在する撮像装置２０のスキャンを開始する（ステップＳ１０９）。
【００７３】
具体的には、情報処理装置１０は、各撮像装置２０ａ〜２０ｃから繰り返し発信されているアドバタイジングパケットを受信し（ステップＳ１１２ａ、Ｓ１１２ｂ、Ｓ１１２ｃ）、情報処理装置１０とのペアリング判断を行う（ステップＳ１１５）。ペアリング判断とは、予め情報処理装置１０が認証した（認証登録した）撮像装置２０であるか否かの判断である。情報処理装置１０は、例えば撮像装置２０から発信されたアドバタイジングパケットの中に含まれた撮像装置２０の識別子、例えばBluetoothデバイスアドレスに基づいて、認証済みの撮像装置２０であるか否かを判断する。
【００７４】
次に、情報処理装置１０は、ペアリング判断の結果、情報処理装置１０とペアリング済みと判断した撮像装置２０ａ、２０ｂに対して、Connection RequestをＢＴ通信により送信する（ステップＳ１１８ａ、Ｓ１１８ｂ）。より詳細には、情報処理装置１０は、ペアリング済みと判断した撮像装置２０に対して撮像装置２０のＷｉ−Ｆｉ接続モード情報および電源状態情報の要求を行い、受信した情報に基づいて撮像装置２０の電源状態およびＷｉ−Ｆｉ接続モード（シングルモード／マルチモード）等を確認して条件判断を行い、条件を満たす撮像装置２０に対してConnection Requestを送信する。例えば撮像装置２０ｂの電源状態がスタンバイ（電源ＯＮの指示待ち）、Ｗｉ−Ｆｉ接続モードがマルチモード、かつ情報処理装置１０の最大接続数に空きがある場合、情報処理装置１０は、撮像装置２０ｂに対してConnection Requestを送信する。ここで、Ｗｉ−Ｆｉ接続モードのシングルモードおよびマルチモードについて説明する。シングルモードの場合、撮像装置２０はaccess point(master device)、情報処理装置１０はstation(slave
device)として機能し、撮像装置２０と情報処理装置１０は１対１で接続する。また、マルチモードの場合、撮像装置２０はstation(slave device)、情報処理装置１０はaccess
point(master device)として機能し、撮像装置２０と情報処理装置１０は多対１で接続する。
【００７５】
次いで、撮像装置２０ａ、２０ｂは、情報処理装置１０から送信されたConnection Requestに従って、電源をＯＮし（ステップＳ１２１ａ、Ｓ１２１ｂ）、情報処理装置１０と各々Ｗｉ−Ｆｉ接続する（ステップＳ１２４ａ、Ｓ１２４ｂ）。この際、撮像装置２０ａ、２０ｂは、情報処理装置１０とのＢＴ通信を再接続してもよい。また、情報処理装置１０が電源ＯＮされてから対応する撮像装置２０の電源ＯＮ（起動）は、例えば700msecで行われ得る。
【００７６】
続いて、撮像装置２０ａ、２０ｂは、カメラ（撮像部２７）を起動し（ステップＳ１２７ａ、Ｓ１２７ｂ）、撮像部２７により取得した撮像画像をスルー画像として情報処理装置１０へ送信することで、スルー画像が情報処理装置１０の表示部１５にリアルタイムに表示されるライブビューが開始される（ステップＳ１３０ａ、Ｓ１３０ｂ）。
【００７７】
上述した撮像装置２０におけるＷｉ−Ｆｉ、ＢＴ接続（ステップＳ１２４）、カメラ起動（ステップＳ１２７）、およびライブビュー（ステップＳ１３０）は、撮像装置２０の電源ＯＮ（起動）に応じて自動的に行うよう設定されたものであってもよい。
【００７８】
そして、情報処理装置１０は、電源ＯＮ操作に応じてスキャンを開始してから一定時間経過後、スキャンを停止する（ステップＳ１３３）。
【００７９】
これにより、例えば撮像装置２０ｂの電源がＯＦＦされ、スタンバイモードになり（ステップＳ１３６）、再びアドバタイジングパケットの送信が再開されても（ステップＳ１３９）、電源ＯＦＦした撮像装置２０ｂが再度検出されて自動的に電源ＯＮ制御されてしまうことを回避することができる。ここで、撮像装置２０ｂの電源ＯＦＦは、ユーザが撮像装置２０ｂの電源スイッチを操作して電源ＯＦＦする場合と、撮像装置２０ｂ側でＡＰＯ（Automatic Power OFF）が発動して電源ＯＦＦする場合が想定される。ＡＰＯは、撮像装置２０での無操作時間が所定時間に達した場合に自動的に電源ＯＦＦする機能である。当該所定時間は例えば、１０秒、６０秒であって、予め設定されていてもよいし、ユーザが任意で設定していてもよい。また、ＡＰＯ機能がユーザによりオフに設定されている場合、ＡＰＯは発動しない。
【００８０】
ここで、一定時間Ｔ１の定義の一例について説明する。図１１に示すように、例えば撮像装置２０の電源ＯＮ（ステップＳ１２１）からスルー画像の送信（ステップＳ１３０、ライブビュー起動）して情報処理装置を受信してスルー画像が表示されるまでの時間（例えば10秒程度）をＴ３とし、撮像装置２０の電源ＯＦＦ（スタンバイモードへの移行）からアドバタイジングパケットの送信開始まで（例えば6秒程度）をＴ４とする。そして、Ｔ３＋Ｔ４＝Ｔ２と定義した場合、一定時間Ｔ１は、Ｔ２よりも短いもの、例えば15秒とする（下記式参照）。
【００８１】
【数１】
2017104205.tif 000003
【００８２】
また、ユーザが撮像装置２０や情報処理装置１０の表示画面を見て、意図せぬ撮像装置２０ｂの起動に気付くまでの時間を、例えばスルー画像の送信から撮像装置２０の電源ＯＦＦまでの時間Ｔｘ（図１１参照）として考慮した場合、下記式により、一定時間Ｔ１を求めることができる。
【００８３】
【数２】
2017104205.tif 000004
【００８４】
上記式において、Ｔｘは、0秒以上75秒以下としてもよいし、75秒以上であるとしてもよい。例えばＴｘが75秒以上であると想定し、一定時間Ｔ１を90秒に設定してもよい。なお本明細書において、Ｔｘは、特許請求の範囲に記載の“Ｔｄ”に対応し、Ｔ１、Ｔ３、Ｔ４は、それぞれ、“Ｔａ”、“Ｔｂ”、“Ｔｃ”に対応する。
【００８５】
このように、撮像装置２０が電源ＯＮ後に電源ＯＦＦされてスタンバイモードに移行し、再びアドバタイジングパケットを発信するまでの時間（Ｔ２）よりも、情報処理装置１０のスキャン時間（Ｔ１）を短くすることで、発信が再開されたアドバタイジングパケットを情報処理装置１０が受信して再び自動的に電源ＯＮ制御してしまうことを回避することができる。なお、情報処理装置１０の電源がＯＦＦされ、再度電源ＯＮにより起動すると、上記ステップＳ１０９に示すスキャンが復帰し、撮像装置２０の検出が再開される。
【００８６】
以上、本実施形態による動作処理について具体的に説明した。
【００８７】
（応用例）
続いて、本実施形態の応用例による動作処理について図１２を参照して説明する。撮像装置２０側の操作でＯＦＦされた場合に、当該撮像装置２０が、情報処理装置１０のスキャンにより再度検出されてしまうことを回避する方法は、上述したスキャン時間を一定時間に制御することに限定されず、例えば図１２に示すような動作処理によっても回避し得る。図１２に示す動作処理は、上述したスキャンの一定時間内で行ってもよいし、常に（若しくは最大接続数に空きが出た時に）スキャンを行っている場合を前提としてもよい。
【００８８】
図１２は、本実施形態の応用例による動作処理を示すシーケンス図である。図１２に示すように、まず、例えば撮像装置２０ａ、２０ｂが、既に通信接続中の情報処理装置１０に対して各々スルー画像を送信してライブビューを行っている（ステップＳ２０３ａ、Ｓ２０３ｂ）。
【００８９】
次いで、撮像装置２０ｂの電源がＯＦＦされると、スタンバイモードに移行する（ステップＳ２０６）。撮像装置２０ｂの電源ＯＦＦは、上述した実施形態と同様に、ユーザが撮像装置２０ｂの電源スイッチを操作してＯＦＦする場合、またはＡＰＯ発動により電源ＯＦＦする場合が想定される。
【００９０】
次に、スタンバイ状態の撮像装置２０ｂは、アドバタイジングパケットをＢＴ通信により周囲に発信する（ステップＳ２０９）。この際、撮像装置２０ｂは、撮像装置２０ｂ側の操作に基づいて電源ＯＦＦしたことを示す情報をアドバタイジングパケットに設定する。この情報は例えばフラグとして設定することができ、Flag=1のときは撮像装置２０側の操作で電源ＯＦＦしたことを示し、Flag=0のときは撮像装置２０側の操作以外で電源ＯＦＦしたことを示す。
【００９１】
一方、情報処理装置１０側では、撮像装置２０のスキャンが継続的に行っており、撮像装置２０ｂから受信したアドバタイジングパケットに含まれる撮像装置２０の識別子に基づいて、通信接続の条件判断を行う（ステップＳ２１２）。条件判断は、上記実施形態で説明した電源状態とＷｉ−Ｆｉ接続モード（シングル／マルチ）の確認に加えて、撮像装置２０ｂ側の操作に基づいて電源ＯＦＦしたことを示す情報が有効か否かの確認を行う。
【００９２】
そして、情報処理装置１０は、撮像装置２０ｂ側の操作に基づいて電源ＯＦＦしたことを示されている場合には、撮像装置２０ｂに対してConnection Requestは送信しないようにする（ステップＳ２１５）。
【００９３】
このように、本応用例では、撮像装置２０が装置側操作により電源ＯＦＦしてスタンバイモードに移行した場合、ＢＴ通信で発信するアドバタイジングパケットに装置側電源ＯＦＦのフラグを設けるよう処理する。そして、情報処理装置１０が、受信したアドバタイジングパケットにおいて当該フラグが有効になっていた場合は撮像装置２０を起動検出しないようにすることで、電源ＯＦＦされた撮像装置２０を自動的に再び電源ＯＮ制御してしまうことを回避することができる。なお、情報処理装置１０の電源がＯＦＦされ、再度電源ＯＮにより起動した場合には、アドバタイジングパケットの有効フラグを無視して撮像装置２０を起動検出し、当該有効フラグをクリアするよう制御してもよい。
【００９４】
なお、上述した各実施形態および応用例では、マルチ接続時の動作制御の場合について説明したが、シングル接続時にも同様に行われ得る。
【００９５】
＜＜４．まとめ＞＞
上述したように、本開示の実施形態による情報処理装置１０は、外部装置（例えば撮像装置２０）との通信接続の利便性を向上させることを可能とする。
【００９６】
具体的には、情報処理装置１０は、周辺の１以上の撮像装置２０を検出して自動的に電源ＯＮ制御および通信接続の確立を行う際に、通信接続が確立した後、ユーザ操作等により電源がＯＦＦされた撮像装置２０を再び検出して自動的に電源ＯＮしてしまうことを回避することができる。
【００９７】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９８】
例えば、上述した情報処理装置１０、撮像装置２０に内蔵されるＣＰＵ、ＲＯＭ、およびＲＡＭ等のハードウェアに、情報処理装置１０、撮像装置２０の機能を発揮させるためのコンピュータプログラムも作成可能である。また、当該コンピュータプログラムを記憶させたコンピュータ読み取り可能な記憶媒体も提供される。
【００９９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１００】
なお、本技術は以下のような構成も取ることができる。
（１）
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部を備える、情報処理装置。
（２）
前記制御部は、検出した前記外部装置の装置情報に基づいて当該外部装置が認証済みの外部装置であるか否かの判断を行い、認証済みの場合に前記電源ＯＮ要求データを当該外部装置に送信するよう制御する、前記（１）に記載の情報処理装置。
（３）
前記外部装置の識別子は、前記外部装置のデバイスアドレスである、前記（２）に記載の情報処理装置。
（４）
前記制御部は、前記情報処理装置の電源ＯＮ操作に応じて、前記外部装置の検出処理を開始する、前記（１）〜（３）のいずれか１項に記載の情報処理装置。
（５）
前記制御部は、電源がＯＮ状態となった前記外部装置と、前記無線通信方式と異なる他の無線通信方式による通信の確立処理を行う、前記（１）〜（４）のいずれか１項に記載の情報処理装置。
（６）
前記制御部は、前記外部装置が前記他の無線通信方式による無線通信を行わず、前記無線通信方式により所定の間隔で前記外部装置の識別子を送信する状態である場合に送信された前記外部装置の識別子に基づいて、前記外部装置の検出処理を行う、前記（５）に記載の情報処理装置。
（７）
前記一定時間（Ｔａ）は、下記式１を満たす、前記（６）に記載の情報処理装置。
Ｔａ＜Ｔｂ＋Ｔｃ＋Ｔｄ  （式１）
（上記式１において、Ｔｂは、前記情報処理装置に対する電源ＯＮ操作から前記他の無線通信を介した前記情報処理装置と前記外部装置の間の所定の処理の開始までの時間であって、
Ｔｃは、前記外部装置に対する電源ＯＦＦ操作から前記無線通信方式により所定の間隔で前記外部装置の識別子の送信を開始するまでの時間であって、
Ｔｄは、所定の時間である。）
（８）
前記Ｔｄは、０秒以上７５秒以下である、前記（７）に記載の情報処理装置。
（９）
前記制御部は、前記外部装置の無線通信接続モード情報に基づいて当該外部装置がマルチモード設定であるか否かの判断を行い、マルチモード設定の場合、所定数の前記外部装置と前記他の無線通信方式による通信を確立し、維持するよう制御する、前記（５）に記載の情報処理装置。
（１０）
前記無線通信方式は、Ｂｌｕｅｔｏｏｔｈ（登録商標）であって、
前記無線通信方式と異なる他の無線通信方式は、Ｗｉ−Ｆｉ（登録商標）である、前記（５）または（６）に記載の情報処理装置。
（１１）
前記制御部は、検出した前記外部装置の装置情報に基づいて、当該外部装置が装置側操作によって電源ＯＦＦされたことを示すフラグが有効の場合、前記電源ＯＮ要求データを送信しないよう制御する、前記（１）〜（１０）のいずれか１項に記載の情報処理装置。
（１２）
前記外部装置は、撮像装置であって、
前記情報処理装置は、前記撮像装置の操作を行うリモートコントローラとして機能する、前記（１）〜（１１）のいずれか１項に記載の情報処理装置。
（１３）
前記情報処理装置は、前記撮像装置から受信した撮像画像をリアルタイムで表示する表示部をさらに備える、前記（１２）に記載の情報処理装置。
（１４）
プロセッサが、
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御することを含む、情報処理方法。
（１５）
コンピュータを、
無線通信方式により外部装置を検出し、前記外部装置の検出処理開始から一定時間以内、検出結果に応じて前記外部装置へ当該外部装置に対する電源ＯＮを要求する電源ＯＮ要求データ送信を行うよう制御する制御部として機能させるための、プログラム。
【符号の説明】
【０１０１】
１０  情報処理装置
１１  制御部
１２  第１通信部
１３  第２通信部
１４  操作部
１５  表示部
１６  記憶部
２０、２０ａ〜２０ｇ  撮像装置
２１  制御部
２２  第１通信部
２３  第２通信部
２４  操作部
２５  表示部
２６  記憶部
２７  撮像部
【図１】
2017104205.tif 000005
【図２】
2017104205.tif 000006
【図３】
2017104205.tif 000007
【図４】
2017104205.tif 000008
【図５】
2017104205.tif 000009
【図６】
2017104205.tif 000010
【図７】
2017104205.tif 000011
【図８】
2017104205.tif 000012
【図９】
2017104205.tif 000013
【図１０】
2017104205.tif 000014
【図１１】
2017104205.tif 000015
【図１２】
2017104205.tif 000016
【国際調査報告】
2017104205.tif 000017
2017104205.tif 000018
2017104205.tif 000019
2017104205.tif 000020